(57)【要約】本開示は、ネットワークノードでの方法（２００）を提供する。方法（２００）は、端末デバイスが、ネットワークノードから第１ランダムアクセスメッセージを受信するために必要なアクセス構成情報を、端末デバイスに送信すること（Ｓ２１０）と、アクセス構成情報に基づき、端末デバイスに第１ランダムアクセスメッセージを送信すること（Ｓ２２０）と、を含む。
2019527515.tif 000002
【特許請求の範囲】
【請求項１】
ネットワークノードでの方法（２００）であって、
端末デバイスが前記ネットワークノードから第１ランダムアクセスメッセージを受信するために必要なアクセス構成情報を、前記端末デバイスに送信すること（Ｓ２１０）と、
前記アクセス構成情報に基づき、前記端末デバイスに前記第１ランダムアクセスメッセージを送信すること（Ｓ２２０）と、
を含む、方法。
【請求項２】
請求項１に記載の方法（２００）であって、
前記アクセス構成情報は、前記第１ランダムアクセスメッセージに関連付けられた、リソースエレメント（ＲＥ）と、復調基準信号（ＤＭＲＳ）と、ペイロードサイズと、変調及び符号化方式（ＭＣＳ）と、受信タイミングと、の構成を示す、方法。
【請求項３】
請求項２に記載の方法（２００）であって、
前記ＲＥ、前記ＤＭＲＳ、前記ペイロードサイズ、前記ＭＣＳ及び前記受信タイミングそれぞれについて、前記アクセス構成情報は、
１つの単一構成、或いは、
候補構成のセット、及び、前記候補構成と前記第１ランダムアクセスメッセージの前に前記端末デバイスから前記ネットワークノードに送信される第２ランダムアクセスメッセージに関連付けられた送信パラメータとの間のマッピングルールを示す、方法。
【請求項４】
請求項２に記載の方法（２００）であって、
前記アクセス構成情報は、前記第１ランダムアクセスメッセージに関連付けられたスクランブリングシーケンスの構成をさらに示す、方法。
【請求項５】
請求項４に記載の方法（４００）であって、
前記スクランブリングシーケンスについて、前記アクセス構成情報は、
１つの単一構成、或いは、
候補構成のセット、及び、前記候補構成と前記第１ランダムアクセスメッセージの前に前記端末デバイスから前記ネットワークノードに送信される第２ランダムアクセスメッセージに関連付けられた送信パラメータとの間のマッピングルールを示す、方法。
【請求項６】
請求項１から５のいずれか１項に記載の方法（２００）であって、
前記アクセス構成情報は、共通アクセス情報テーブル（Ｃ−ＡＩＴ）に含まれる、方法。
【請求項７】
請求項１から６のいずれか１項に記載の方法（２００）であって、
前記アクセス構成情報の少なくとも一部分の更新を、前記端末デバイスに送信することをさらに含み、
前記更新は、専用アクセス情報テーブル（Ｄ−ＡＩＴ）に含まれる、方法。
【請求項８】
請求項１から７のいずれか１項に記載の方法（２００）であって、
前記端末デバイスが前記ネットワークノードから第３ランダムアクセスメッセージを受信するために必要な更なるアクセス構成情報を、前記端末デバイスに送信することと、
前記端末デバイスに前記第３ランダムアクセスメッセージを送信することと、
をさらに含む、方法。
【請求項９】
請求項８に記載の方法（２００）であって、
前記更なるアクセス構成情報は、前記第３ランダムアクセスメッセージをスケジュールするための制御チャネルに関連付けられたＲＥ、ＤＭＲＳ、ペイロードサイズ及びＭＣＳの構成を示す、方法。
【請求項１０】
請求項８又は９に記載の方法（２００）であって、
前記更なるアクセス構成情報は、共通アクセス情報テーブル（Ｃ−ＡＩＴ）又は前記第１ランダムアクセスメッセージに含まれる、方法。
【請求項１１】
請求項８から１０のいずれか１項に記載の方法（２００）であって、
前記更なるアクセス構成情報の少なくとも一部分の更新を、前記端末デバイスに送信することをさらに含み、
前記更新は、専用アクセス情報テーブル（Ｄ−ＡＩＴ）に含まれる、方法。
【請求項１２】
ネットワークノード（５００）であって、
端末デバイスが前記ネットワークノードから第１ランダムアクセスメッセージを受信するために必要なアクセス構成情報を、前記端末デバイスに送信し、前記アクセス構成情報に基づき、前記端末デバイスに前記第１ランダムアクセスメッセージを送信する様に構成された送信ユニット（５１０）を備えている、ネットワークノード。
【請求項１３】
請求項１２に記載のネットワークノード（５００）であって、
前記アクセス構成情報は、前記第１ランダムアクセスメッセージに関連付けられた、リソースエレメント（ＲＥ）と、復調基準信号（ＤＭＲＳ）と、ペイロードサイズと、変調及び符号化方式（ＭＣＳ）と、受信タイミングと、の構成を示す、ネットワークノード。
【請求項１４】
請求項１３に記載のネットワークノード（５００）であって、
前記ＲＥ、前記ＤＭＲＳ、前記ペイロードサイズ、前記ＭＣＳ及び前記受信タイミングそれぞれについて、前記アクセス構成情報は、
１つの単一構成、或いは
候補構成のセット、及び、前記候補構成と前記第１ランダムアクセスメッセージの前に前記端末デバイスから前記ネットワークノードに送信される第２ランダムアクセスメッセージに関連付けられた送信パラメータとの間のマッピングルールを示す、ネットワークノード。
【請求項１５】
請求項１３に記載のネットワークノード（５００）であって、
前記アクセス構成情報は、前記第１ランダムアクセスメッセージに関連付けられたスクランブリングシーケンスの構成をさらに示す、ネットワークノード。
【請求項１６】
請求項１５に記載のネットワークノード（５００）であって、
前記スクランブリングシーケンスについて、前記アクセス構成情報は、
１つの単一構成、或いは
候補構成のセット、及び、前記候補構成と前記第１ランダムアクセスメッセージの前に前記端末デバイスから前記ネットワークノードに送信される第２ランダムアクセスメッセージに関連付けられた送信パラメータとの間のマッピングルールを示す、ネットワークノード。
【請求項１７】
請求項１２から１６のいずれか１項に記載のネットワークノード（５００）であって、
前記アクセス構成情報は、共通アクセス情報テーブル（Ｃ−ＡＩＴ）に含まれる、ネットワークノード。
【請求項１８】
請求項１２から１７のいずれか１項に記載のネットワークノード（５００）であって、
前記送信ユニット（５１０）は、前記アクセス構成情報の少なくとも一部分の更新を、前記端末デバイスに送信する様にさらに構成され、
前記更新は、専用アクセス情報テーブル（Ｄ−ＡＩＴ）に含まれる、ネットワークノード。
【請求項１９】
請求項１２から１８のいずれか１項に記載のネットワークノード（５００）であって、
前記送信ユニット（５１０）は、前記端末デバイスが前記ネットワークノードから第３ランダムアクセスメッセージを受信するために必要な更なるアクセス構成情報を、前記端末デバイスに送信し、前記端末デバイスに前記第３ランダムアクセスメッセージを送信する様にさらに構成される、ネットワークノード。
【請求項２０】
請求項１９に記載のネットワークノード（５００）であって、
前記更なるアクセス構成情報は、前記第３ランダムアクセスメッセージをスケジュールするための制御チャネルに関連付けられたＲＥ、ＤＭＲＳ、ペイロードサイズ及びＭＣＳの構成を示す、ネットワークノード。
【請求項２１】
請求項１９又は２０に記載のネットワークノード（５００）であって、
前記更なるアクセス構成情報は、共通アクセス情報テーブル（Ｃ−ＡＩＴ）又は前記第１ランダムアクセスメッセージに含まれる、ネットワークノード。
【請求項２２】
請求項１９から２１のいずれか１項に記載のネットワークノード（５００）であって、
前記送信ユニット（５１０）は、前記更なるアクセス構成情報の少なくとも一部分の更新を、前記端末デバイスに送信する様にさらに構成され、
前記更新は、専用アクセス情報テーブル（Ｄ−ＡＩＴ）に含まれる、ネットワークノード。
【請求項２３】
送受信機（６１０）と、プロセッサ（６２０）と、メモリ（６３０）と、を有するネットワークノード（６００）であって、
前記メモリ（６３０）は、前記プロセッサ（６２０）により実行可能な命令を有し、
前記ネットワークノード（６００）は、端末デバイスが前記ネットワークノードから第１ランダムアクセスメッセージを受信するために必要なアクセス構成情報を、前記端末デバイスに送信し、前記アクセス構成情報に基づき、前記端末デバイスに前記第１ランダムアクセスメッセージを送信する様に動作する、ネットワークノード。
【請求項２４】
ネットワークノードで実行されると、前記ネットワークノードに請求項１から１１のいずれか１項に記載の方法を実行させるコンピュータ可読命令を含むコンピュータプログラム。
【請求項２５】
請求項２４に記載のコンピュータプログラムを格納するコンピュータ可読記憶手段を有する、コンピュータプログラム格納製品。
【請求項２６】
端末デバイスでの方法（３００）であって、
前記端末デバイスがネットワークノードから第１ランダムアクセスメッセージを受信するために必要なアクセス構成情報を、前記ネットワークノードから受信すること（S３１０）と、
前記アクセス構成情報に基づき、前記ネットワークノードから前記第１ランダムアクセスメッセージを受信すること（Ｓ３２０）と、
を含む、方法。
【請求項２７】
請求項２６に記載の方法（３００）であって、
前記アクセス構成情報は、前記第１ランダムアクセスメッセージに関連付けられた、リソースエレメント（ＲＥ）と、復調基準信号（ＤＭＲＳ）と、ペイロードサイズと、変調及び符号化方式（ＭＣＳ）と、受信タイミングと、の構成を示す、方法。
【請求項２８】
請求項２７に記載の方法（３００）であって、
前記ＲＥ、前記ＤＭＲＳ、前記ペイロードサイズ、前記ＭＣＳ及び前記受信タイミングそれぞれについて、前記アクセス構成情報は、
１つの単一構成、或いは
候補構成のセット、及び、前記候補構成と前記第１ランダムアクセスメッセージの前に前記端末デバイスから前記ネットワークノードに送信される第２ランダムアクセスメッセージに関連付けられた送信パラメータとの間のマッピングルールを示す、方法。
【請求項２９】
請求項２８に記載の方法（３００）であって、
前記アクセス構成情報に基づき、前記ネットワークノードから前記第１ランダムアクセスメッセージを前記受信すること（Ｓ３２０）は、
前記単一構成、又は、前記候補構成のセットと前記マッピングルールとに基づき、前記ＲＥ、前記ＤＭＲＳ、前記ペイロードサイズ、前記ＭＣＳ及び前記受信タイミングそれぞれの構成を判定することと、
前記ＲＥ、前記ＤＭＲＳ、前記ペイロードサイズ、前記ＭＣＳ及び前記受信タイミングそれぞれの前記判定した構成に基づき、前記第１ランダムアクセスメッセージを受信することと、
を含む、方法。
【請求項３０】
請求項２７に記載の方法（６００）であって、
前記アクセス構成情報は、前記第１ランダムアクセスメッセージに関連付けられたスクランブリングシーケンスの構成をさらに示す、方法。
【請求項３１】
請求項３０に記載の方法（３００）であって、
前記スクランブリングシーケンスについて、前記アクセス構成情報は、
１つの単一構成、或いは、
候補構成のセット、及び、前記候補構成と前記第１ランダムアクセスメッセージの前に前記端末デバイスから前記ネットワークノードに送信される第２ランダムアクセスメッセージに関連付けられた送信パラメータとの間のマッピングルールを示す、方法。
【請求項３２】
請求項３０に記載の方法（３００）であって、
前記アクセス構成情報に基づき、前記ネットワークノードから前記第１ランダムアクセスメッセージを前記受信すること（Ｓ３２０）は、
前記単一構成、又は、前記候補構成のセットと前記マッピングルールとに基づき、前記スクランブリングシーケンスの構成を判定することと、
前記スクランブリングシーケンスの前記判定した構成に基づき、前記第１ランダムアクセスメッセージを受信することと、
を含む、方法。
【請求項３３】
請求項２６から３２のいずれか１項に記載の方法（３００）であって、
前記アクセス構成情報は、共通アクセス情報テーブル（Ｃ−ＡＩＴ）に含まれる、方法。
【請求項３４】
請求項２６から３３のいずれか１項に記載の方法（３００）であって、
前記アクセス構成情報の少なくとも一部分の更新を、前記ネットワークノードから受信することをさらに含み、
前記更新は、専用アクセス情報テーブル（Ｄ−ＡＩＴ）に含まれる、方法。
【請求項３５】
請求項２６から３４のいずれか１項に記載の方法（３００）であって、
前記端末デバイスが前記ネットワークノードから第３ランダムアクセスメッセージを受信するために必要な更なるアクセス構成情報を、前記ネットワークノードから受信することと、
前記更なるアクセス構成情報に基づき、前記ネットワークノードから前記第３ランダムアクセスメッセージを受信することと、
をさらに含む、方法。
【請求項３６】
請求項３５に記載の方法（３００）であって、
前記更なるアクセス構成情報は、前記第３ランダムアクセスメッセージをスケジュールするための制御チャネルに関連付けられたＲＥ、ＤＭＲＳ、ペイロードサイズ及びＭＣＳの構成を示す、方法。
【請求項３７】
請求項３５又は３６に記載の方法（３００）であって、
前記更なるアクセス構成情報は、共通アクセス情報テーブル（Ｃ−ＡＩＴ）又は前記第１ランダムアクセスメッセージに含まれる、方法。
【請求項３８】
請求項３５から３７のいずれか１項に記載の方法（３００）であって、
前記更なるアクセス構成情報の少なくとも一部分の更新を、前記ネットワークノードから受信することをさらに含み、
前記更新は、専用アクセス情報テーブル（Ｄ−ＡＩＴ）に含まれる、方法。
【請求項３９】
端末デバイス（７００）であって、
前記端末デバイスがネットワークノードから第１ランダムアクセスメッセージを受信するために必要なアクセス構成情報を、前記ネットワークノードから受信し、前記アクセス構成情報に基づき、前記ネットワークノードから前記第１ランダムアクセスメッセージを受信する様に構成された受信ユニット（７１０）を備えている、端末デバイス。
【請求項４０】
請求項３９に記載の端末デバイス（７００）であって、
前記アクセス構成情報は、前記第１ランダムアクセスメッセージに関連付けられた、リソースエレメント（ＲＥ）と、復調基準信号（ＤＭＲＳ）と、ペイロードサイズと、変調及び符号化方式（ＭＣＳ）と、受信タイミングと、の構成を示す、端末デバイス。
【請求項４１】
請求項４０に記載の端末デバイス（７００）であって、
前記ＲＥ、前記ＤＭＲＳ、前記ペイロードサイズ、前記ＭＣＳ及び前記受信タイミングそれぞれについて、前記アクセス構成情報は、
１つの単一構成、或いは、
候補構成のセット、及び、前記候補構成と前記第１ランダムアクセスメッセージの前に前記端末デバイスから前記ネットワークノードに送信される第２ランダムアクセスメッセージに関連付けられた送信パラメータとの間のマッピングルールを示す、端末デバイス。
【請求項４２】
請求項４１に記載の端末デバイス（７００）であって、
前記受信ユニット（７１０）は、前記単一構成、又は、前記候補構成のセットと前記マッピングルールとに基づき、前記ＲＥ、前記ＤＭＲＳ、前記ペイロードサイズ、前記ＭＣＳ及び前記受信タイミングそれぞれの構成を判定し、前記ＲＥ、前記ＤＭＲＳ、前記ペイロードサイズ、前記ＭＣＳ及び前記受信タイミングそれぞれの前記判定した構成に基づき、前記第１ランダムアクセスメッセージを受信することにより、前記アクセス構成情報に基づき、前記ネットワークノードから前記第１ランダムアクセスメッセージを受信する様に構成される、端末デバイス。
【請求項４３】
請求項４０に記載のネットワークノード（７００）であって、
前記アクセス構成情報は、前記第１ランダムアクセスメッセージに関連付けられたスクランブリングシーケンスの構成をさらに示す、端末デバイス。
【請求項４４】
請求項４３に記載の端末デバイス（７００）であって、
前記スクランブリングシーケンスについて、前記アクセス構成情報は、
１つの単一構成、或いは、
候補構成のセット、及び、前記候補構成と前記第１ランダムアクセスメッセージの前に前記端末デバイスから前記ネットワークノードに送信される第２ランダムアクセスメッセージに関連付けられた送信パラメータとの間のマッピングルールを示す、端末デバイス。
【請求項４５】
請求項４３に記載の端末デバイス（７００）であって、
前記受信ユニット（７１０）は、前記単一構成、又は、前記候補構成のセットと前記マッピングルールとに基づき、前記スクランブリングシーケンスの構成を判定し、前記スクランブリングシーケンスの前記判定した構成に基づき、前記第１ランダムアクセスメッセージを受信することにより、前記アクセス構成情報に基づき、前記ネットワークノードから前記第１ランダムアクセスメッセージを受信する様に構成される、端末デバイス。
【請求項４６】
請求項３９から４５のいずれか１項に記載の端末デバイス（７００）であって、
前記アクセス構成情報は、共通アクセス情報テーブル（Ｃ−ＡＩＴ）に含まれる、端末デバイス。
【請求項４７】
請求項３９から４６のいずれか１項に記載の端末デバイス（７００）であって、
前記受信ユニット（７１０）は、前記アクセス構成情報の少なくとも一部分の更新を、前記ネットワークノードから受信する様にさらに構成され、
前記更新は、専用アクセス情報テーブル（Ｄ−ＡＩＴ）に含まれる、端末デバイス。
【請求項４８】
請求項３９から４７のいずれか１項に記載の端末デバイス（７００）であって、
前記受信ユニット（７１０）は、前記端末デバイスが前記ネットワークノードから第３ランダムアクセスメッセージを受信するために必要な更なるアクセス構成情報を、前記ネットワークノードから受信し、前記更なるアクセス構成情報に基づき、前記ネットワークノードから前記第３ランダムアクセスメッセージを受信する様にさらに構成される、端末デバイス。
【請求項４９】
請求項４８に記載の端末デバイス（７００）であって、
前記更なるアクセス構成情報は、前記第３ランダムアクセスメッセージをスケジュールするための制御チャネルに関連付けられたＲＥ、ＤＭＲＳ、ペイロードサイズ及びＭＣＳの構成を示す、端末デバイス。
【請求項５０】
請求項４８又は４９に記載の端末デバイス（７００）であって、
前記更なるアクセス構成情報は、共通アクセス情報テーブル（Ｃ−ＡＩＴ）又は前記第１ランダムアクセスメッセージに含まれる、端末デバイス。
【請求項５１】
請求項４８から５０のいずれか１項に記載の端末デバイス（７００）であって、
前記受信ユニット（７１０）は、前記更なるアクセス構成情報の少なくとも一部分の更新を、前記ネットワークノードから受信する様にさらに構成され、
前記更新は、専用アクセス情報テーブル（Ｄ−ＡＩＴ）に含まれる、端末デバイス。
【請求項５２】
送受信機（８１０）と、プロセッサ（８２０）と、メモリ（８３０）と、を有する端末デバイス（８００）であって、
前記メモリ（８３０）は、前記プロセッサ（８２０）により実行可能な命令を有し、
前記端末デバイス（８００）は、前記端末デバイスがネットワークノードから第１ランダムアクセスメッセージを受信するために必要なアクセス構成情報を、前記ネットワークノードから受信し、前記アクセス構成情報に基づき、前記ネットワークノードから前記第１ランダムアクセスメッセージを受信する様に動作する、端末デバイス。
【請求項５３】
端末デバイスで実行されると、前記端末デバイスに請求項２６から３８のいずれか１項に記載の方法を実行させるコンピュータ可読命令を含むコンピュータプログラム。
【請求項５４】
請求項５３に記載のコンピュータプログラムを格納するコンピュータ可読記憶手段を有する、コンピュータプログラム格納製品。
【発明の詳細な説明】
【技術分野】
【０００１】
本開示は、無線通信に関し、より詳しくは、ランダムアクセスを促進する方法、ネットワークノード及び端末デバイスに関する。
【背景技術】
【０００２】
ロングタームエボリューション（ＬＴＥ）システムにおいては、上りリンク同期を確立していない、或いは、上りリンク同期外れを起こした、ユーザ装置（ＵＥ）としても知られる端末デバイスが、上りリンク同期を確立するためにランダムアクセス手順が使用される。競合ベース及び競合フリーの２種類のランダムアクセス手順が存在する。
【０００３】
図１は、競合ベースのランダムアクセス手順のシグナリングシーケンスを示している。図示する様に、競合ベースのランダムアクセス手順は、それぞれ、ＭＳＧ１、ＭＳＧ２、ＭＳＧ３及びＭＳＧ４として参照される４つのメッセージを含んでいる。ＭＳＧ１及びＭＳＧ３は、ＵＥからネットワークノード（例えば、発展型ノードＢ（ｅＮＢ））への上りリンクメッセージであり、ＭＳＧ２及びＭＳＧ４は、ネットワークノードからＵＥへの下りリンクメッセージである。競合フリーランダムアクセス手順は、ＭＳＧ１及びＭＳＧ２の２つのメッセージのみを含む。
【０００４】
ＭＳＧ２及びＭＳＧ４の両方は、物理下りリンク共用チャネル（ＰＤＳＣＨ）で搬送され、物理下りリンク制御チャネル（ＰＤＣＣＨ）でスケジュールされる。ＭＳＧ２のスケジュール情報は、共通検索空間で送信され、ＭＳＧ４のスケジュール情報は、ＵＥ特定の検索空間で送信される。ＰＤＣＣＨは、セル基準信号（ＣＲＳ）に基づき復号される必要があるので、ＬＴＥのランダムアクセス手順は、ＣＲＳに依存する。
【発明の概要】
【発明が解決しようとする課題】
【０００５】
次世代ネットワークには、より高いエネルギ効率が期待される。次世代ネットワークのデザイン原理の１つは、ネットワーク側のエネルギ消費を減少させ、隣接ｅＮＢによりサービス提供されるＵＥへの干渉を減少させるために、静的な常時オンの信号を最小化することである。結果、ＣＲＳは、将来、存在しなくなるかもしれない。よって、ＵＥは、ＣＲＳに基づき、ＭＳＧ２及び／又はＭＳＧ４をもはや受信できなくなり得る。
【０００６】
よって、ＣＲＳが利用可能でないときに、ＭＳＧ２及び／又はＭＳＧ４をＵＥが受信可能にする、ランダムアクセス手順のための解決策が必要である。
【課題を解決するための手段】
【０００７】
本開示の目的は、ＣＲＳが利用可能でないときに、ランダムアクセス手順において、端末デバイスが、下りリンクメッセージを受信できる様にする、ランダムアクセスを促進する方法、ネットワークノード及び端末デバイスを提供することである。
【０００８】
第１の態様において、ネットワークノードにおける方法が提供される。本方法は、端末デバイスが、ネットワークノードから第１ランダムアクセスメッセージを受信するために必要なアクセス構成情報を、端末デバイスに送信することと、アクセス構成情報に基づき、端末デバイスに第１ランダムアクセスメッセージを送信することと、を含む。
【０００９】
一実施形態において、アクセス構成情報は、第１ランダムアクセスメッセージに関連付けられた、リソースエレメント（ＲＥ）と、復調基準信号（ＤＭＲＳ）と、ペイロードサイズと、変調及び符号化方式（ＭＣＳ）と、受信タイミングと、の構成を示す。
【００１０】
一実施形態において、ＲＥ、ＤＭＲＳ、ペイロードサイズ、ＭＣＳ及び受信タイミングのそれぞれについて、アクセス構成情報は、１つの単一構成を示す、或いは、候補構成のセット、及び、候補構成と第１ランダムアクセスメッセージの前に端末デバイスからネットワークノードに送信される第２ランダムアクセスメッセージに関連付けられた送信パラメータとの間のマッピングルールを示す。
【００１１】
一実施形態において、アクセス構成情報は、第１ランダムアクセスメッセージに関連付けられたスクランブリングシーケンスの構成をさらに示す。
【００１２】
一実施形態において、スクランブリングシーケンスについて、アクセス構成情報は、１つの単一構成を示す、或いは、候補構成のセット、及び、候補構成と第１ランダムアクセスメッセージの前に端末デバイスからネットワークノードに送信される第２ランダムアクセスメッセージに関連付けられた送信パラメータとの間のマッピングルールを示す。
【００１３】
一実施形態において、アクセス構成情報は、共通アクセス情報テーブル（Ｃ−ＡＩＴ）に含まれる。
【００１４】
一実施形態において、方法は、アクセス構成情報の少なくとも一部分の更新を、端末デバイスに送信することをさらに含む。更新は、専用アクセス情報テーブル（Ｄ−ＡＩＴ）に含まれる。
【００１５】
一実施形態において、方法は、端末デバイスが、ネットワークノードから第３ランダムアクセスメッセージを受信するために必要な更なるアクセス構成情報を、端末デバイスに送信することと、端末デバイスに第３ランダムアクセスメッセージを送信することと、をさらに含む。
【００１６】
一実施形態において、更なるアクセス構成情報は、第３ランダムアクセスメッセージをスケジュールするための制御チャネルに関連付けられたＲＥ、ＤＭＲＳ、ペイロードサイズ及びＭＣＳの構成を示す。
【００１７】
一実施形態において、更なるアクセス構成情報は、共通アクセス情報テーブル（Ｃ−ＡＩＴ）又は第１ランダムアクセスメッセージに含まれる。
【００１８】
一実施形態において、方法は、更なるアクセス構成情報の少なくとも一部分の更新を、端末デバイスに送信することをさらに含む。更新は、専用アクセス情報テーブル（Ｄ−ＡＩＴ）に含まれる。
【００１９】
第２の態様において、ネットワークノードが提供される。ネットワークノードは、端末デバイスが、ネットワークノードから第１ランダムアクセスメッセージを受信するために必要なアクセス構成情報を、端末デバイスに送信し、アクセス構成情報に基づき、端末デバイスに第１ランダムアクセスメッセージを送信する様に構成された送信ユニットを有する。
【００２０】
第３の態様において、ネットワークノードが提供される。ネットワークノードは、送受信機、プロセッサ及びメモリを備えている。メモリは、プロセッサにより実行可能な命令を含み、これにより、ネットワークノードは、端末デバイスが、ネットワークノードから第１ランダムアクセスメッセージを受信するために必要なアクセス構成情報を、端末デバイスに送信し、アクセス構成情報に基づき、端末デバイスに第１ランダムアクセスメッセージを送信する様に動作する。
【００２１】
第４の態様において、コンピュータプログラムが提供される。コンピュータプログラムは、ネットワークノードで実行されると、ネットワークノードに第１の態様による方法を実行させるコンピュータ可読命令を含む。
【００２２】
第５の態様において、コンピュータプログラム格納プロダクトが提供される。コンピュータプログラム格納プロダクトは、第４の態様によるコンピュータプログラムを格納するコンピュータ可読記憶手段を有する。
【００２３】
第１の態様の上述した実施形態は、第２の態様、第３の態様、第４の態様及び第５の態様にも適用できる。
【００２４】
第６の態様において、端末デバイスにおける方法が提供される。方法は、端末デバイスが、ネットワークノードから第１ランダムアクセスメッセージを受信するために必要なアクセス構成情報を、ネットワークノードから受信することと、アクセス構成情報に基づき、ネットワークノードから第１ランダムアクセスメッセージを受信することと、を含む。
【００２５】
一実施形態において、アクセス構成情報は、第１ランダムアクセスメッセージに関連付けられた、リソースエレメント（ＲＥ）と、復調基準信号（ＤＭＲＳ）と、ペイロードサイズと、変調及び符号化方式（ＭＣＳ）と、受信タイミングと、の構成を示す。
【００２６】
一実施形態において、ＲＥ、ＤＭＲＳ、ペイロードサイズ、ＭＣＳ及び受信タイミングのそれぞれについて、アクセス構成情報は、１つの単一構成を示す、或いは、候補構成のセット、及び、候補構成と第１ランダムアクセスメッセージの前に端末デバイスからネットワークノードに送信される第２ランダムアクセスメッセージに関連付けられた送信パラメータとの間のマッピングルールを示す。
【００２７】
一実施形態において、アクセス構成情報に基づき、ネットワークノードから第１ランダムアクセスメッセージを受信するステップは、単一構成、又は、候補構成のセットとマッピングルールとに基づき、ＲＥ、ＤＭＲＳ、ペイロードサイズ、ＭＣＳ及び受信タイミングそれぞれについての構成を判定することと、ＲＥ、ＤＭＲＳ、ペイロードサイズ、ＭＣＳ及び受信タイミングそれぞれについて判定した構成に基づき、第１ランダムアクセスメッセージを受信することと、を含む。
【００２８】
一実施形態において、アクセス構成情報は、第１ランダムアクセスメッセージに関連付けられたスクランブリングシーケンスの構成をさらに示す。
【００２９】
一実施形態において、スクランブリングシーケンスについて、アクセス構成情報は、１つの単一構成を示す、或いは、候補構成のセット、及び、候補構成と第１ランダムアクセスメッセージの前に端末デバイスからネットワークノードに送信される第２ランダムアクセスメッセージに関連付けられた送信パラメータとのマッピングルールを示す。
【００３０】
一実施形態において、アクセス構成情報に基づき、ネットワークノードから第１ランダムアクセスメッセージを受信するステップは、単一構成、又は、候補構成のセットとマッピングルールとに基づき、スクランブリングシーケンスの構成を判定することと、スクランブリングシーケンスの判定した構成に基づき、第１ランダムアクセスメッセージを受信することと、を含む。
【００３１】
一実施形態において、アクセス構成情報は、共通アクセス情報テーブル（Ｃ−ＡＩＴ）に含まれる。
【００３２】
一実施形態において、方法は、アクセス構成情報の少なくとも一部分の更新を、ネットワークノードから受信することをさらに含む。更新は、専用アクセス情報テーブル（Ｄ−ＡＩＴ）に含まれる。
【００３３】
一実施形態において、方法は、端末デバイスが、ネットワークノードから第３ランダムアクセスメッセージを受信するために必要な更なるアクセス構成情報を、ネットワークノードから受信することと、更なるアクセス構成情報に基づき、ネットワークノードから第３ランダムアクセスメッセージを受信することと、を含む。
【００３４】
一実施形態において、更なるアクセス構成情報は、第３ランダムアクセスメッセージをスケジュールするための制御チャネルに関連付けられたＲＥ、ＤＭＲＳ、ペイロードサイズ及びＭＣＳの構成を示す。
【００３５】
一実施形態において、更なるアクセス構成情報は、共通アクセス情報テーブル（Ｃ−ＡＩＴ）又は第１ランダムアクセスメッセージに含まれる。
【００３６】
一実施形態において、方法は、更なるアクセス構成情報の少なくとも一部分の更新を、ネットワークノードから受信することをさらに含む。更新は、専用アクセス情報テーブル（Ｄ−ＡＩＴ）に含まれる。
【００３７】
第７の態様において、端末デバイスが提供される。端末デバイスは、端末デバイスが、ネットワークノードから第１ランダムアクセスメッセージを受信するために必要なアクセス構成情報を、ネットワークノードから受信し、アクセス構成情報に基づき、ネットワークノードから第１ランダムアクセスメッセージを受信する様に構成された受信ユニットを含む。
【００３８】
第８の態様において、端末デバイスが提供される。端末デバイスは、送受信機、プロセッサ及びメモリを備えている。メモリは、プロセッサにより実行可能な命令を含み、これにより、端末デバイスは、端末デバイスが、ネットワークノードから第１ランダムアクセスメッセージを受信するために必要なアクセス構成情報を、ネットワークノードから受信し、アクセス構成情報に基づき、ネットワークノードから第１ランダムアクセスメッセージを受信する様に動作する。
【００３９】
第９の態様において、コンピュータプログラムが提供される。コンピュータプログラムは、端末デバイスで実行されると、端末デバイスに第６の態様による方法を実行させるコンピュータ可読命令を含む。
【００４０】
第１０の態様において、コンピュータプログラム格納プロダクトが提供される。コンピュータプログラム格納プロダクトは、第９の態様によるコンピュータプログラムを格納するコンピュータ可読記憶手段を有する。
【００４１】
第６の態様の上述した実施形態は、第７の態様、第８の態様、第９の態様及び第１０の態様にも適用できる。
【００４２】
本開示の実施形態により、端末デバイスは、ランダムアクセスメッセージ（例えば、ＭＳＧ２）を受信するのに必要なアクセス構成情報をネットワークノードから受信し、その後、アクセス構成情報に基づいて、ネットワークノードからランダムアクセスメッセージを受信する。この様に、たとえＣＲＳが利用可能でなくとも、端末デバイスは、ランダムアクセス手順において下りリンクメッセージを受信できる。
【００４３】
上述した、及び、他の目的、特徴及び利点は、図を参照する以下の実施形態の記述から明らかになる。
【図面の簡単な説明】
【００４４】
【図１】競合ベースのランダムアクセス手順のシグナリングシーケンスを示す図。
【図２】本開示の実施形態による、端末デバイスによるランダムアクセスを促進する方法のフローチャート。
【図３】本開示の実施形態による、ランダムアクセスを促進する方法のフローチャート。
【図４】図２及び図３の方法を説明するシグナリングシーケンスを示す図。
【図５】本開示の一実施形態によるネットワークノードのブロック図。
【図６】本開示の一実施形態による、端末デバイスのブロック図。
【図７】本開示の他の実施形態によるネットワークノードのブロック図。
【図８】本開示の他の実施形態による端末デバイスのブロック図。
【発明を実施するための形態】
【００４５】
本開示の実施形態の詳細について、以下では、図面を参照して詳細に説明する。以下の実施形態は例示であり、本開示の範囲を制限するものではない。
【００４６】
用語"ネットワークノード"は、無線通信ネットワーク内のデバイスであって、端末デバイスがネットワークにアクセスしてサービスを受けるために経由するデバイスを意味する。ネットワークノードは、無線通信ネットワーク内の基地局（ＢＳ）、アクセスポイント（ＡＰ）、モビリティ管理エンティティ（ＭＭＥ）、マルチセル／マルチキャスト協調エンティティ（ＭＣＥ）、ゲートウェイ、サーバー、コントローラ、又は、任意の他の適切なデバイスを参照する。  ＢＳは、例えば、ノードＢ（ノードＢ又はＮＢ）、発展型ノードＢ（ｅノードＢ又はｅＮＢ）、リモート無線ユニット（ＲＲＵ）、無線ヘッダ（ＲＨ）、リモート無線ヘッド（ＲＲＨ）、リレイ、フェムト、ピコ等の低電力ノードであり得る。
【００４７】
用語"端末デバイス"は、無線通信ネットワークにアクセスしてサービスの提供を受けることができる任意のエンドデバイスを参照する。制限しない例として、端末デバイスは、移動端末、ＵＥ、又は、他の適切なデバイスを参照する。ＵＥは、例えば、加入者局（ＳＳ）、ポータブル加入者局、移動局（ＭＳ）、又は、アクセス端末（ＡＴ）であり得る。端末デバイスは、ポータブルコンピュータ、デジタルカメラ等の画像キャプチャ端末デバイス、ゲーム端末デバイス、音楽格納再生装置、移動電話、セルラ電話、スマートフォン、タブレット、ウェアラブルデバイス、パーソナルデジタルアシスタント（ＰＤＡ）、車両、歩行者等であるが、それらに限定されない。
【００４８】
ここで使用する様に、用語"無線通信ネットワーク"は、ＬＴＥアドバンスド（ＬＴＥ−Ａ）、広帯域符号分割多重アクセス（ＷＣＤＭＡ）、高速パケットアクセス（ＨＳＰＡ）等の任意の適切な通信標準に従うネットワークを参照する。さらに、無線通信ネットワークにおける端末デバイスとネットワークデバイスとの通信は、第１世代（１Ｇ）、第２世代（２Ｇ）、２．５Ｇ，２．７５Ｇ、第３世代（３Ｇ）、第４世代（４Ｇ）、４．５Ｇ、将来の第５世代（５Ｇ）通信プロトコル、及び／又は、現在知られている、若しくは、将来に開発される任意の他のプロトコルを含む、任意の適切な世代の通信プロトコルにより実行されるが、その様な通信プロトコルに限定されない。
【００４９】
ここで使用する、用語"第１"及び"第２"は、異なる要素を参照する。単数形式は、文脈から明らかに異なる場合を除き、複数形式を含むことが意図される。ここで使用する、用語"含む"、"有する"、"備える"等は、述べられた特徴、要素及び／又は構成部品の存在を特定するが、１つ以上の他の特徴、要素、構成部品及び／又はそれらの組み合わせの存在を除外するものではない。用語"基づき"は、"部分的に、或いは、以上に基づき"と読むべきである。用語"一実施形態"は、"１つ以上の実施形態"と読むべきである。用語"他の実施形態"は、"少なくとも１つの他の実施形態"と読むべきである。明示的及び暗示的な他の定義が以下に含まれ得る。
【００５０】
図２は、本開示の実施形態による、端末デバイスによるランダムアクセスを促進する方法２００のフローチャートである。方法２００は、ネットワークノード、例えば、ｅＮＢにより実行され得る。方法２００は、以下のブロックを含む。
【００５１】
ブロックＳ２１０において、端末デバイスがネットワークノードから第１ランダムアクセスメッセージを受信するために必要なアクセス構成情報が、端末デバイスに送信される。
【００５２】
ここで、第１ランダムアクセスメッセージは、例えば、図１に示すＭＳＧ２であり得るが、それに限定されない。
【００５３】
一例において、アクセス構成情報は、第１ランダムアクセスメッセージに関連付けられた、リソースエレメント（ＲＥ）と、復調基準信号（ＤＭＲＳ）と、ペイロードサイズと、変調及び符号化方式（ＭＣＳ）と、受信タイミングと、の構成を示す。
【００５４】
ＲＥ、ＤＭＲＳ、ペイロードサイズ、ＭＣＳ及び受信タイミングのそれぞれについて、アクセス構成情報は、１つの単一構成を示し得る。
【００５５】
この場合、アクセス構成情報は、第１ランダムアクセスメッセージを搬送するＲＥのセット、第１ランダムアクセスメッセージを復号するためのＤＭＲＳ、第１ランダムアクセスメッセージのペイロードサイズ、第１ランダムアクセスメッセージに使用されているＭＣＳ、及び、第１ランダムアクセスメッセージを受信する受信タイミングを示し得る。
【００５６】
代わりに、ＲＥ、ＤＭＲＳ、ペイロードサイズ、ＭＣＳ及び受信タイミングのそれぞれについて、アクセス構成情報は、候補構成のセット、及び、候補構成と第１ランダムアクセスメッセージがネットワークノードから端末デバイスに送信される前に、端末デバイスからネットワークノードに送信される第２ランダムアクセスメッセージに関連付けられた送信パラメータとの間のマッピングルールを示し得る。ここで、第２ランダムアクセスメッセージは、例えば、図１に示すＭＳＧ１であり得るが、それに限定されない。
【００５７】
この場合、アクセス構成情報は、第１ランダムアクセスメッセージを搬送するＲＥの１つ以上の候補セット、及び、ＲＥの候補セットと第２ランダムアクセスメッセージに使用されているプリアンブルシーケンスとの間のマッピングルールを示し得る。例えば、第２ランダムアクセスメッセージに使用され得る６４個のプリアンブルシーケンスＰ０、Ｐ１、・・・、Ｐ６３が存在し、アクセス構成情報が４つのＲＥセット、Ｓ０、Ｓ１、Ｓ２、Ｓ３を示すものとすると、マッピングルールは、プリアンブルシーケンスＰ０〜Ｐ１５がＳ０にマッピングされ、Ｐ１６〜Ｐ３１がＳ１にマッピングされ、Ｐ３２〜Ｐ４７がＳ２にマッピングされ、Ｐ４８〜Ｐ６３がＳ３にマッピングされることを必要とし得る。この様に、アクセス構成情報は、端末デバイスが第２ランダムアクセスメッセージに使用したプリアンブルシーケンスに基づき、端末デバイスが、第１ランダムアクセスメッセージを搬送しているＲＥのセットを判定することを可能にする。
【００５８】
同様に、アクセス構成情報は、第１ランダムアクセスメッセージを復号するための１つ以上の候補ＤＭＲＳ、第１ランダムアクセスメッセージの１つ以上の候補ペイロードサイズ、及び／又は、第１ランダムアクセスメッセージに使用されている１つ以上の候補ＭＣＳと、候補ＤＭＲＳ、候補ペイロードのサイズ、及び／又は、候補ＭＣＳと、第２ランダムアクセスメッセージに使用されているプリアンブルシーケンとの間のマッピングルールを示し得る。
【００５９】
さらに、アクセス構成情報は、第１ランダムアクセスメッセージを受信する１つ以上の受信タイミング、及び、候補受信タイミングと第２ランダムアクセスメッセージの送信タイミングとの間のマッピングルールを示し得る。例えば、第２ランダムアクセスメッセージが時刻ｔ１で送信されるものとすると、マッピングルールは、ｔ２である第１ランダムアクセスメッセージを受信する受信タイミングと第２ランダムアクセスメッセージの送信タイミングとの間の所定の時間オフセットｔｏｆｆを必要とし得る。よって、アクセス構成情報は、端末デバイスがｔ２＝ｔ１＋ｔｏｆｆを計算することを可能にする。
【００６０】
オプションとして、１つの端末デバイスを他の端末デバイスと区別するために直交スクランブリングシーケンスが使用される場合、アクセス構成情報は、第１ランダムアクセスメッセージに関連付けられているスクランブリングシーケンスの構成をさらに示し得る。ここで、スクランブリングシーケンスについて、アクセス構成情報は、１つの単一構成を示す、或いは、候補構成のセット、及び、候補構成と第１ランダムアクセスメッセージの前に端末デバイスからネットワークノードに送信される第２ランダムアクセスメッセージに関連付けられた送信パラメータとのマッピングルールを示し得る。例えば、アクセス構成情報は、第１ランダムアクセスメッセージをスクランブリングするための２つ以上の候補スクランブリングシーケンス、及び、候補スクランブリングシーケンスと第２ランダムアクセスメッセージに使用されているプリアンブルシーケンスとの間のマッピングルールを示し得る。
【００６１】
一例において、アクセス構成情報は、共通アクセス情報テーブル（Ｃ−ＡＩＴ）に含まれ得る。さらに、アクセス構成情報の少なくとも一部分の更新が、端末デバイスへの送信のため、専用アクセス情報テーブル（Ｄ−ＡＩＴ）に含められ得る。Ｃ−ＡＩＴは、物理アンカーチャネル（ＰＡＣＨ）として参照されるブロードキャストチャネルで送信され、ＵＥが、電源オン時、初期的にネットワークにアクセスするのに必要な基礎システム情報を含んでいる。一旦、ＵＥがネットワークにアタッチされると、ＵＥは、Ｄ−ＡＩＴを介して、更新及び／又は更なるシステム情報を獲得する。その後、ＵＥは、アイドル／スリープモードから接続モードに遷移する際、ネットワークにアクセスするためにＤ−ＡＩＴで定義されたシステム情報を利用できる。
【００６２】
ブロックＳ２２０で、第１ランダムアクセスメッセージがアクセス構成情報に基づき端末デバイスに送信される。
【００６３】
一例として、方法２００は、例えば、競合ベースランダムアクセスに適用される場合、（図示しない）後続ブロックを含み得る。
【００６４】
端末デバイスがネットワークノードから第３ランダムアクセスメッセージを受信するために必要な更なるアクセス構成情報が、端末デバイスに送信され得る。ここで、第３ランダムアクセスメッセージは、例えば、図１に示すＭＳＧ４であり得るが、それに限定されない。
【００６５】
制御チャネルが第３ランダムアクセスメッセージをスケジュールするために使用され得る。更なるアクセス構成情報は、制御チャネルに関連付けられたＲＥ、ＤＭＲＳ、ペイロードサイズ及びＭＣＳの構成を示し得る。
【００６６】
ここで、ＭＳＧ２は、非常に小さいサイズであり、ＵＥ特定ではないため、ＭＳＧ２をスケジュールするための制御チャネルを定義する必要はない。つまり、ＭＳＧ２は、総ての制御チャネル（例えば、ＰＤＣＣＨ）とは独立し得る。対照的に、ＭＳＧ４は、非常に大きいサイズを有し、ＵＥ特定である。よって、制御チャネルでＭＳＧ４をスケジュールする利点がある。
【００６７】
その後、第３ランダムアクセスメッセージが端末デバイスに送信され得る。
【００６８】
一例において、更なるアクセス構成情報は、Ｃ−ＡＩＴに含まれ得る。代わりに、更なるアクセス構成情報は、第１ランダムアクセスメッセージに含められ得る。さらに、更なるアクセス構成情報の少なくとも一部分の更新が、端末デバイスへの送信のため、Ｄ−ＡＩＴに含められ得る。
【００６９】
図３は、本開示の実施形態による、ランダムアクセスを促進する方法３００のフローチャートである。方法３００は、端末デバイス、例えば、ＵＥにより実行され得る。方法３００は、以下のステップを含む。
【００７０】
ブロックＳ３１０において、端末デバイスがネットワークノードから第１ランダムアクセスメッセージを受信するために必要なアクセス構成情報が、ネットワークノードから受信される。ここで、第１ランダムアクセスメッセージは、例えば、図１に示すＭＳＧ２であり得るが、それに限定されない。
【００７１】
ブロックＳ３２０で、第１ランダムアクセスメッセージがアクセス構成情報に基づきネットワークノードから受信される。
【００７２】
方法２００に関して上述した様に、アクセス構成情報は、第１ランダムアクセスメッセージに関連付けられた、リソースエレメント（ＲＥ）と、復調基準信号（ＤＭＲＳ）と、ペイロードサイズと、変調及び符号化方式（ＭＣＳ）と、受信タイミングと、の構成を示し得る。ＲＥ、ＤＭＲＳ、ペイロードサイズ、ＭＣＳ及び受信タイミングのそれぞれについて、アクセス構成情報は、１つの単一構成を示す、或いは、候補構成のセット、及び、候補構成と第１ランダムアクセスメッセージの前に端末デバイスからネットワークノードに送信される第２ランダムアクセスメッセージに関連付けられた送信パラメータとの間のマッピングルールを示し得る。ここで、第２ランダムアクセスメッセージは、例えば、図１に示すＭＳＧ１であり得るが、それに限定されない。
【００７３】
ブロックＳ３２０において、ＲＥ、ＤＭＲＳ、ペイロードサイズ、ＭＣＳ及び受信タイミングそれぞれの構成が、単一構成、又は、候補構成のセットとマッピングルールとに基づき決定され得る。第１ランダムアクセスメッセージは、ＲＥ、ＤＭＲＳ、ペイロードサイズ、ＭＣＳ及び受信タイミングそれぞれの判定した構成に基づき、受信され得る。
【００７４】
オプションとして、１つの端末デバイスを他の端末デバイスと区別するために直交スクランブリングシーケンスが使用される場合、アクセス構成情報は、第１ランダムアクセスメッセージに関連付けられているスクランブリングシーケンスの構成をさらに示し得る。スクランブリングシーケンスについて、アクセス構成情報は、１つの単一構成を示す、或いは、候補構成のセット、及び、候補構成と第１ランダムアクセスメッセージの前に端末デバイスからネットワークノードに送信される第２ランダムアクセスメッセージに関連付けられた送信パラメータとの間のマッピングルールを示し得る。この場合、ブロックＳ３２０において、スクランブリングシーケンスの構成が、単一構成、或いは、候補構成のセットとマッピングルールとに基づき決定され得る。その後、第１ランダムアクセスメッセージは、スクランブリングシーケンスの判定した構成に基づき受信され得る。
【００７５】
ＲＥ、ＤＭＲＳ、ペイロードサイズ、ＭＣＳ、受信タイミング及びスクランブリングシーケンスそれぞれの構成をどの様に判定するかの詳細については、上述した方法２００を参照でき、ここでは省略する。
【００７６】
一例において、アクセス構成情報は、Ｃ−ＡＩＴに含まれ得る。さらに、アクセス構成情報の少なくとも一部分の更新が、ネットワークノードから受信され得る。更新は、Ｄ−ＡＩＴに含められ得る。
【００７７】
一例として、方法３００は、例えば、競合ベースランダムアクセスに適用される場合、（図示しない）後続ブロックを含み得る。
【００７８】
端末デバイスがネットワークノードから第３ランダムアクセスメッセージを受信するために必要な更なるアクセス構成情報が、ネットワークノードから受信され得る。ここで、第３ランダムアクセスメッセージは、例えば、図１に示すＭＳＧ４であり得るが、それに限定されない。
【００７９】
制御チャネルが第３ランダムアクセスメッセージをスケジュールするために使用され得る。更なるアクセス構成情報は、制御チャネルに関連付けられたＲＥ、ＤＭＲＳ、ペイロードサイズ及びＭＣＳの構成を示し得る。
【００８０】
その後、ネットワークノードからの第３ランダムアクセスメッセージが、更なるアクセス構成情報に基づき受信され得る。
【００８１】
一例において、更なるアクセス構成情報は、Ｃ−ＡＩＴに含まれ得る。代わりに、更なるアクセス構成情報は、第１ランダムアクセスメッセージに含められ得る。さらに、更なるアクセス構成情報の少なくとも一部分の更新が、ネットワークノードから受信され得る。更新は、Ｄ−ＡＩＴに含められ得る。
【００８２】
図４は、上述した方法２００及び３００を説明するためのシグナリングシーケンスを示している。競合ベースランダムアクセス手順が、一例として、図４には示されている。ＭＳＧ３及びＭＳＧ４のための動作が必要ではないことを除き、競合フリーランダムアクセス手順にも適用可能である。
【００８３】
例えば、ＵＥが初期的に電源オンとなったとき、４．１において、ｅＮＢはＣ−ＡＩＴをＵＥに送信する。Ｃ−ＡＩＴは、ＭＳＧ２に関連付けられたアクセス構成情報（以後、"ＭＳＧ２構成"と参照する。）と、オプションとして、ＭＳＧ４をスケジュールするための制御チャネルに関連付けられたアクセス構成情報（以後、"ＭＳＧ４構成"と参照する。）と、を含む。４．２で、ＵＥはＭＳＧ１をｅＮＢに送信する。４．３で、ｅＮＢはＭＳＧ２をＵＥに送信する。ここで、ＭＳＧ２は、Ｃ−ＡＩＴに含まれるＭＳＧ２構成に基づき、ＵＥにより受信され得る。代わりに、ＭＳＧ４構成は、ＭＳＧ２に含まれ得る。
【００８４】
４．４で、ＵＥはＭＳＧ３をｅＮＢに送信する。４．５で、ｅＮＢはＭＳＧ４をＵＥに送信する。ここで、ＭＳＧ４は、Ｃ−ＡＩＴに含まれるＭＳＧ４構成、或いは、ＭＳＧ２に基づき、ＵＥにより受信され得る。
【００８５】
４．６で、ｅＮＢはＤ−ＡＩＴをＵＥに送信する。Ｄ−ＡＩＴは、ＭＳＧ２構成の更新、及び／又は、ＭＳＧ４構成の更新を含み、ＵＥは、アイドル／スリープモードから接続モードに遷移する際、続くランダムアクセス手順において、更新されたＭＳＧ２構成、及び／又は、更新されたＭＳＧ４構成を使用できる。
【００８６】
上述した方法２００に対応して、ネットワークデバイスが提供される。図５は、本開示の実施形態による、端末デバイスによるランダムアクセスを促進するためのネットワークノード５００のブロック図である。ネットワークノード５００は、例えば、ｅＮＢであり得る。
【００８７】
図５に示す様に、ネットワークノード５００は、端末デバイスがネットワークノードから第１ランダムアクセスメッセージを受信すするために必要なアクセス構成情報を、端末デバイスに送信する様に構成された送信ユニット５１０を含む。送信ユニット５１０は、アクセス構成情報に基づき、端末デバイスに第１ランダムアクセスメッセージを送信する様にさらに構成される。
【００８８】
一実施形態において、アクセス構成情報は、第１ランダムアクセスメッセージに関連付けられた、リソースエレメント（ＲＥ）と、復調基準信号（ＤＭＲＳ）と、ペイロードサイズと、変調及び符号化方式（ＭＣＳ）と、受信タイミングと、の構成を示す。
【００８９】
一実施形態において、ＲＥ、ＤＭＲＳ、ペイロードサイズ、ＭＣＳ及び受信タイミングのそれぞれについて、アクセス構成情報は、１つの単一構成を示す、或いは、候補構成のセット、及び、候補構成と第１ランダムアクセスメッセージの前に端末デバイスからネットワークノードに送信される第２ランダムアクセスメッセージに関連付けられた送信パラメータとの間のマッピングルールを示す。
【００９０】
一実施形態において、アクセス構成情報は、第１ランダムアクセスメッセージに関連付けられたスクランブリングシーケンスの構成をさらに示す。
【００９１】
一実施形態において、スクランブリングシーケンスについて、アクセス構成情報は、１つの単一構成を示す、或いは、候補構成のセット、及び、候補構成と第１ランダムアクセスメッセージの前に端末デバイスからネットワークノードに送信される第２ランダムアクセスメッセージに関連付けられた送信パラメータとの間のマッピングルールを示す。
【００９２】
一実施形態において、アクセス構成情報は、共通アクセス情報テーブル（Ｃ−ＡＩＴ）に含まれる。
【００９３】
一実施形態において、送信ユニット５１０は、アクセス構成情報の少なくとも一部分の更新を端末デバイスに送信する様にさらに構成される。更新は、専用アクセス情報テーブル（Ｄ−ＡＩＴ）に含まれる。
【００９４】
一実施形態において、送信ユニット５１０は、端末デバイスが、ネットワークノードから第３ランダムアクセスメッセージを受信するために必要な更なるアクセス構成情報を、端末デバイスに送信し、端末デバイスに第３ランダムアクセスメッセージを送信する様にさらに構成される。
【００９５】
一実施形態において、更なるアクセス構成情報は、第３ランダムアクセスメッセージをスケジュールするための制御チャネルに関連付けられたＲＥ、ＤＭＲＳ、ペイロードサイズ及びＭＣＳの構成を示す。
【００９６】
一実施形態において、更なるアクセス構成情報は、共通アクセス情報テーブル（Ｃ−ＡＩＴ）又は第１ランダムアクセスメッセージに含まれる。
【００９７】
一実施形態において、送信ユニット５１０は、更なるアクセス構成情報の少なくとも一部分の更新を端末デバイスに送信する様にさらに構成される。更新は、専用アクセス情報テーブル（Ｄ−ＡＩＴ）に含まれる。
【００９８】
ユニット５１０は、純粋はハードウェアとして、例えば、プロセッサ若しくはマイクロプロセッサと、適切なソフトウェアと、ソフトウェアを格納するメモリと、プログラム可能な論理デバイス（ＰＬＤ）と、他の電子部品の１つ以上によるソフトウェアとハードウェアの組み合わせとして、或いは、例えば、図２に示し上述した動作を実行する様に構成された処理回路として、実現され得る。
【００９９】
図６は、本開示の他の実施形態によるネットワークノード６００のブロック図である。
【０１００】
ネットワークノード６００は、端末デバイスによるランダムアクセスを促進するために提供され得る。ネットワークノード６００は、送受信機６１０と、プロセッサ６２０と、メモリ６３０と、を備えている。メモリ６３０は、プロセッサ６２０により実行可能な命令を含み、これにより、ネットワークノード６００は、端末デバイスが、ネットワークノードから第１ランダムアクセスメッセージを受信するために必要なアクセス構成情報を、端末デバイスに送信し、アクセス構成情報に基づき、端末デバイスに第１ランダムアクセスメッセージを送信する様に動作する。
【０１０１】
上述した方法３００に対応して、端末デバイスが提供される。図７は、本開示の実施形態による、ランダムアクセスを促進するための端末デバイス７００のブロック図である。端末デバイス７００は、例えば、ＵＥであり得る。
【０１０２】
図７に示す様に、端末デバイス７００は、端末デバイスがネットワークノードから第１ランダムアクセスメッセージを受信するために必要なアクセス構成情報を、ネットワークノードから受信する様に構成された受信ユニット７１０を含む。受信ユニット７１０は、アクセス構成情報に基づき、ネットワークノードから第１ランダムアクセスメッセージを受信する様にさらに構成される。
【０１０３】
一実施形態において、アクセス構成情報は、第１ランダムアクセスメッセージに関連付けられた、リソースエレメント（ＲＥ）と、復調基準信号（ＤＭＲＳ）と、ペイロードサイズと、変調及び符号化方式（ＭＣＳ）と、受信タイミングと、の構成を示す。
【０１０４】
一実施形態において、ＲＥ、ＤＭＲＳ、ペイロードサイズ、ＭＣＳ及び受信タイミングのそれぞれについて、アクセス構成情報は、１つの単一構成を示す、或いは、候補構成のセット、及び、候補構成と第１ランダムアクセスメッセージの前に端末デバイスからネットワークノードに送信される第２ランダムアクセスメッセージに関連付けられた送信パラメータとの間のマッピングルールを示す。
【０１０５】
一実施形態において、受信ユニット７１０は、単一構成、或いは、候補構成のセットとマッピングルールとに基づき、ＲＥ、ＤＭＲＳ、ペイロードサイズ、ＭＣＳ及び受信タイミングそれぞれについての構成を判定し、ＲＥ、ＤＭＲＳ、ペイロードサイズ、ＭＣＳ及び受信タイミングそれぞれについての判定した構成に基づき、第１ランダムアクセスメッセージを受信することにより、アクセス構成情報に基づきネットワークノードから第１ランダムアクセスメッセージを受信する様に構成される。
【０１０６】
一実施形態において、アクセス構成情報は、第１ランダムアクセスメッセージに関連付けられたスクランブリングシーケンスの構成をさらに示す。
【０１０７】
一実施形態において、スクランブリングシーケンスについて、アクセス構成情報は、１つの単一構成を示す、或いは、候補構成のセット、及び、候補構成と第１ランダムアクセスメッセージの前に端末デバイスからネットワークノードに送信される第２ランダムアクセスメッセージに関連付けられた送信パラメータとの間のマッピングルールを示す。
【０１０８】
一実施形態において、受信ユニット７１０は、単一構成、或いは、候補構成のセットとマッピングルールとに基づき、スクランブリングシーケンスの構成を判定し、スクランブリングシーケンスの判定した構成に基づき、第１ランダムアクセスメッセージを受信することにより、アクセス構成情報に基づき、ネットワークノードから第１ランダムアクセスメッセージを受信する様に構成される。
【０１０９】
一実施形態において、アクセス構成情報は、共通アクセス情報テーブル（Ｃ−ＡＩＴ）に含まれる。
【０１１０】
一実施形態において、受信ユニット７１０は、アクセス構成情報の少なくとも一部分の更新をネットワークノードから受信する様にさらに構成される。更新は、専用アクセス情報テーブル（Ｄ−ＡＩＴ）に含まれる。
【０１１１】
一実施形態において、受信ユニット７１０は、端末デバイスが、ネットワークノードから第３ランダムアクセスメッセージを受信するために必要な更なるアクセス構成情報を、ネットワークノードから受信し、更なるアクセス構成情報に基づき、ネットワークノードから第３ランダムアクセスメッセージを受信する様にさらに構成される。
【０１１２】
一実施形態において、更なるアクセス構成情報は、第３ランダムアクセスメッセージをスケジュールするための制御チャネルに関連付けられたＲＥ、ＤＭＲＳ、ペイロードサイズ及びＭＣＳを示す。
【０１１３】
一実施形態において、更なるアクセス構成情報は、共通アクセス情報テーブル（Ｃ−ＡＩＴ）又は第１ランダムアクセスメッセージに含まれる。
【０１１４】
一実施形態において、受信ユニット７１０は、更なるアクセス構成情報の少なくとも一部分の更新をネットワークノードから受信する様にさらに構成される。更新は、専用アクセス情報テーブル（Ｄ−ＡＩＴ）に含まれる。
【０１１５】
ユニット７１０は、純粋はハードウェアとして、例えば、プロセッサ若しくはマイクロプロセッサと、適切なソフトウェアと、ソフトウェアを格納するメモリと、プログラム可能な論理デバイス（ＰＬＤ）と、他の電子部品の１つ以上によるソフトウェアとハードウェアの組み合わせとして、或いは、例えば、図3に示し上述した動作を実行する様に構成された処理回路として、実現され得る。
【０１１６】
図８は、本開示の他の実施形態による端末デバイス８００のブロック図である。
【０１１７】
端末デバイス８００は、ランダムアクセスを促進するために提供され得る。端末デバイス８００は、送受信機８１０と、プロセッサ８２２０と、メモリ８３０と、を備えている。メモリ８３０は、プロセッサ８２０により実行可能な命令を含み、これにより、端末デバイス８００は、端末デバイスが、ネットワークノードから第１ランダムアクセスメッセージを受信するために必要なアクセス構成情報を、ネットワークノードから受信し、アクセス構成情報に基づき、ネットワークノードから第１ランダムアクセスメッセージを受信する様に動作する。
【０１１８】
本開示は、例えば、ＥＥＰＲＯＭ（電気的に消去可能なプログラム可能リードオンリーメモリ）、フラッシュメモリ、又は、ハードドライブといった、不揮発性又は揮発性メモリの形式である、１つ以上のコンピュータプログラム製品も提供する。コンピュータプログラム製品は、コンピュータプログラムを有する。コンピュータプログラムは、プロセッサ６２０により実行されると、ネットワークノード６００に、例えば、図２で説明した手順といった動作を実行させるコード／コンピュータ可読命令を含み、或いは、プロセッサ８２０により実行されると、端末デバイス８００に、例えば、図３で説明した手順といった動作を実行させるコード／コンピュータ可読命令を含む。
【０１１９】
コンピュータプログラム製品は、コンピュータプログラムモジュールで構成されたコンピュータプログラムコードとして構成され得る。コンピュータプログラムモジュールは、図２又は図３に示すフローの動作を基本的に実行する。
【０１２０】
プロセッサは、単一ＣＰＵ（中央処理ユニット）であり得るが、２つ以上の処理ユニットを含み得る。例えば、プロセッサは、汎用目的マイクロプロセッサ、命令セットプロセッサ、及び／又は、関連チップセット、及び／又は、特定用途向け集積回路（ＡＳＩＣ）の様な特別なマイクロプロセッサを含み得る。プロセッサは、キャッシュ目的のためのボードメモリを含み得る。コンピュータプログラムは、プロセッサに接続されたコンピュータプログラム製品により担持され得る。コンピュータプログラム製品は、コンピュータプログラムを格納するコンピュータ可読記憶媒体を含み得る。例えば、コンピュータプログラム製品は、フラッシュメモリ、ランダムアクセスメモリ（ＲＡＭ）、リードオンリーメモリ（ＲＯＭ）又はＥＥＰＲＯＭを含み、上述したコンピュータプログラムモジュールは、他の実施形態において、メモリ形式の様々なコンピュータプログラム製品に分散され得る。
【０１２１】
本開示について、実施形態を参照して説明した。種々の修正、置換及び追加が、本開示の範囲から逸脱することなく、当業者により行われ得ることを理解すべきである。よって、本開示の範囲は、上述した特定の実施形態に限定されず、添付の特許請求の範囲により定義されるのみである。
【図１】
2019527515.tif 000003
【図２】
2019527515.tif 000004
【図３】
2019527515.tif 000005
【図４】
2019527515.tif 000006
【図５】
2019527515.tif 000007
【図６】
2019527515.tif 000008
【図７】
2019527515.tif 000009
【図８】
2019527515.tif 000010
【手続補正書】
【提出日】平成31年2月6日(2019.2.6)
【手続補正１】
【補正対象書類名】特許請求の範囲
【補正対象項目名】全文
【補正方法】変更
【補正の内容】
【特許請求の範囲】
【請求項１】
端末デバイスでの方法（３００）であって、
前記端末デバイスがネットワークノードから第１ランダムアクセスメッセージを受信するために必要なアクセス構成情報を、前記ネットワークノードから受信すること（S３１０）と、
前記アクセス構成情報に基づき、前記ネットワークノードから前記第１ランダムアクセスメッセージを受信すること（Ｓ３２０）と、
を含む、方法。
【請求項２】
請求項１に記載の方法（３００）であって、
前記アクセス構成情報は、前記第１ランダムアクセスメッセージに関連付けられた、リソースエレメント（ＲＥ）と、復調基準信号（ＤＭＲＳ）と、ペイロードサイズと、変調及び符号化方式（ＭＣＳ）と、受信タイミングと、の構成を示す、方法。
【請求項３】
請求項２に記載の方法（３００）であって、
前記ＲＥ、前記ＤＭＲＳ、前記ペイロードサイズ、前記ＭＣＳ及び前記受信タイミングそれぞれについて、前記アクセス構成情報は、
１つの単一構成、或いは
候補構成のセット、及び、前記候補構成と前記第１ランダムアクセスメッセージの前に前記端末デバイスから前記ネットワークノードに送信される第２ランダムアクセスメッセージに関連付けられた送信パラメータとの間のマッピングルールを示す、方法。
【請求項４】
請求項３に記載の方法（３００）であって、
前記アクセス構成情報に基づき、前記ネットワークノードから前記第１ランダムアクセスメッセージを前記受信すること（Ｓ３２０）は、
前記単一構成、又は、前記候補構成のセットと前記マッピングルールとに基づき、前記ＲＥ、前記ＤＭＲＳ、前記ペイロードサイズ、前記ＭＣＳ及び前記受信タイミングそれぞれの構成を判定することと、
前記ＲＥ、前記ＤＭＲＳ、前記ペイロードサイズ、前記ＭＣＳ及び前記受信タイミングそれぞれの前記判定した構成に基づき、前記第１ランダムアクセスメッセージを受信することと、
を含む、方法。
【請求項５】
請求項２に記載の方法（６００）であって、
前記アクセス構成情報は、前記第１ランダムアクセスメッセージに関連付けられたスクランブリングシーケンスの構成をさらに示す、方法。
【請求項６】
請求項５に記載の方法（３００）であって、
前記スクランブリングシーケンスについて、前記アクセス構成情報は、
１つの単一構成、或いは、
候補構成のセット、及び、前記候補構成と前記第１ランダムアクセスメッセージの前に前記端末デバイスから前記ネットワークノードに送信される第２ランダムアクセスメッセージに関連付けられた送信パラメータとの間のマッピングルールを示す、方法。
【請求項７】
請求項５に記載の方法（３００）であって、
前記アクセス構成情報に基づき、前記ネットワークノードから前記第１ランダムアクセスメッセージを前記受信すること（Ｓ３２０）は、
前記単一構成、又は、前記候補構成のセットと前記マッピングルールとに基づき、前記スクランブリングシーケンスの構成を判定することと、
前記スクランブリングシーケンスの前記判定した構成に基づき、前記第１ランダムアクセスメッセージを受信することと、
を含む、方法。
【請求項８】
請求項１から７のいずれか１項に記載の方法（３００）であって、
前記アクセス構成情報は、共通アクセス情報テーブル（Ｃ−ＡＩＴ）に含まれる、方法。
【請求項９】
請求項１から８のいずれか１項に記載の方法（３００）であって、
前記アクセス構成情報の少なくとも一部分の更新を、前記ネットワークノードから受信することをさらに含み、
前記更新は、専用アクセス情報テーブル（Ｄ−ＡＩＴ）に含まれる、方法。
【請求項１０】
請求項１から９のいずれか１項に記載の方法（３００）であって、
前記端末デバイスが前記ネットワークノードから第３ランダムアクセスメッセージを受信するために必要な更なるアクセス構成情報を、前記ネットワークノードから受信することと、
前記更なるアクセス構成情報に基づき、前記ネットワークノードから前記第３ランダムアクセスメッセージを受信することと、
をさらに含む、方法。
【請求項１１】
請求項１０に記載の方法（３００）であって、
前記更なるアクセス構成情報は、前記第３ランダムアクセスメッセージをスケジュールするための制御チャネルに関連付けられたＲＥ、ＤＭＲＳ、ペイロードサイズ及びＭＣＳの構成を示す、方法。
【請求項１２】
請求項１０又は１１に記載の方法（３００）であって、
前記更なるアクセス構成情報は、共通アクセス情報テーブル（Ｃ−ＡＩＴ）又は前記第１ランダムアクセスメッセージに含まれる、方法。
【請求項１３】
請求項１０から１２のいずれか１項に記載の方法（３００）であって、
前記更なるアクセス構成情報の少なくとも一部分の更新を、前記ネットワークノードから受信することをさらに含み、
前記更新は、専用アクセス情報テーブル（Ｄ−ＡＩＴ）に含まれる、方法。
【請求項１４】
端末デバイス（７００）であって、
前記端末デバイスがネットワークノードから第１ランダムアクセスメッセージを受信するために必要なアクセス構成情報を、前記ネットワークノードから受信し、前記アクセス構成情報に基づき、前記ネットワークノードから前記第１ランダムアクセスメッセージを受信する様に構成された受信ユニット（７１０）を備えている、端末デバイス。
【請求項１５】
請求項１４に記載の端末デバイス（７００）であって、
前記アクセス構成情報は、前記第１ランダムアクセスメッセージに関連付けられた、リソースエレメント（ＲＥ）と、復調基準信号（ＤＭＲＳ）と、ペイロードサイズと、変調及び符号化方式（ＭＣＳ）と、受信タイミングと、の構成と、前記第１ランダムアクセスメッセージに関連付けられた、スクランブリングシーケンスの構成と、を示す、端末デバイス。
【請求項１６】
請求項１５に記載の端末デバイス（７００）であって、
前記第１ランダムアクセスメッセージに関連付けられた、前記ＲＥ、前記ＤＭＲＳ、前記ペイロードサイズ、前記ＭＣＳ、前記受信タイミング及び前記スクランブリングシーケンスの構成それぞれについて、前記アクセス構成情報は、
１つの単一構成、或いは、
候補構成のセット、及び、前記候補構成と前記第１ランダムアクセスメッセージの前に前記端末デバイスから前記ネットワークノードに送信される第２ランダムアクセスメッセージに関連付けられた送信パラメータとの間のマッピングルールを示す、端末デバイス。
【請求項１７】
請求項１６に記載の端末デバイス（７００）であって、
前記受信ユニット（７１０）は、前記単一構成、又は、前記候補構成のセットと前記マッピングルールとに基づき、前記第１ランダムアクセスメッセージに関連づけられた、前記ＲＥ、前記ＤＭＲＳ、前記ペイロードサイズ、前記ＭＣＳ、前記受信タイミング及びスクランブリングシーケンスそれぞれの構成を判定し、前記第１ランダムアクセスメッセージに関連づけられた、前記ＲＥ、前記ＤＭＲＳ、前記ペイロードサイズ、前記ＭＣＳ、前記受信タイミング及びスクランブリングシーケンスそれぞれの前記判定した構成に基づき、前記第１ランダムアクセスメッセージを受信することにより、前記アクセス構成情報に基づき、前記ネットワークノードから前記第１ランダムアクセスメッセージを受信する様に構成される、端末デバイス。
【請求項１８】
請求項１４から１７のいずれか１項に記載の端末デバイス（７００）であって、
前記アクセス構成情報は、共通アクセス情報テーブル（Ｃ−ＡＩＴ）に含まれる、端末デバイス。
【請求項１９】
請求項１４から１８のいずれか１項に記載の端末デバイス（７００）であって、
前記受信ユニット（７１０）は、前記アクセス構成情報の少なくとも一部分の更新を、前記ネットワークノードから受信する様にさらに構成され、
前記更新は、専用アクセス情報テーブル（Ｄ−ＡＩＴ）に含まれる、端末デバイス。
【請求項２０】
請求項１４から１９のいずれか１項に記載の端末デバイス（７００）であって、
前記受信ユニット（７１０）は、前記端末デバイスが前記ネットワークノードから第３ランダムアクセスメッセージを受信するために必要な更なるアクセス構成情報を、前記ネットワークノードから受信し、前記更なるアクセス構成情報に基づき、前記ネットワークノードから前記第３ランダムアクセスメッセージを受信する様にさらに構成される、端末デバイス。
【請求項２１】
請求項２０に記載の端末デバイス（７００）であって、
前記更なるアクセス構成情報は、前記第３ランダムアクセスメッセージをスケジュールするための制御チャネルに関連付けられたＲＥ、ＤＭＲＳ、ペイロードサイズ及びＭＣＳの構成を示し、
前記更なるアクセス構成情報は、共通アクセス情報テーブル（Ｃ−ＡＩＴ）又は前記第１ランダムアクセスメッセージに含まれる、端末デバイス。
【国際調査報告】
2019527515.tif 000011
2019527515.tif 000012
2019527515.tif 000013